(57)【要約】【課題】  本発明は、各眼マスク部に小孔を有する覆い部を開閉自在に設け、近くを見る際に覆い部を開放できることを目的とする。【解決手段】  本発明によるアイマスクは、各眼マスク部（３、４）の開口（８）に、小孔（１３）を有する覆い部（１１、１２）を開閉自在に設け、近くを見る時にこの覆い部（１１、１２）を開放できるようにした構成である。【選択図】  図１
2005288058.tif 000002
【特許請求の範囲】
【請求項１】
連結部（２）によって接続され貫通状の開口（８）を有する第１、第２眼マスク部（３、４）と、前記第１、第２眼マスク部（３、４）に各々接続されたつる部（５、６）とよりなるアイマスクにおいて、
前記第１、第２眼マスク部（３、４）の各前面（４ａ）に設けられ前記開口（８）を開閉自在とするための覆い部（１１、１２）を有し、前記各覆い部（１１、１２）には複数の小孔（１３）が形成されていることを特徴とするアイマスク。
【請求項２】
前記各覆い部（１１、１２）は、前記各眼マスク部（３、４）に回転自在に軸支されていることを特徴とする請求項１記載のアイマスク。
【請求項３】
前記各覆い部（１１、１２）は、前記各眼マスク部（３、４）に摺動自在に設けられていることを特徴とする請求項１記載のアイマスク。
【請求項４】
前記各覆い部（１１、１２）は、各々独立、又は、連結棒（１５）を介して同時に作動するように構成されていることを特徴とする請求項１ないし３の何れかに記載のアイマスク。
【請求項５】
前記各つる部（５、６）の後部には複数の溝（２０）が形成され、前記溝（２０）に設けられたＯリング（２１）には突起体（２２）が形成され、前記Ｏリング（２１）は前記各溝（２０）に対して移動できるように構成されていることを特徴とする請求項１ないし４の何れかに記載のアイマスク。
【請求項６】
前記各つる部（５、６）に設けられた前記各突起体（２２）間は、ひも（２３）で接続されていることを特徴とする請求項１ないし５の何れかに記載のアイマスク。
【発明の詳細な説明】
【技術分野】
【０００１】  本発明は、アイマスクに関し、特に、各眼マスク部の開口に対して、複数の小孔を有する覆い部を着脱自在とし、アイマスクを用いる人がその時の状況に応じて小孔を用いたり、又は、用いないで素通しにできるようにするための新規な改良に関する。
【背景技術】
【０００２】  従来、用いられていたアイマスクは、全体形状が所定の厚さを有し、一対の眼マスク部に複数の小孔が形成され、例えば、後述の特許文献１に開示されている。
前述のアイマスクは、その両端に設けられたひも又はベルトによって顔面に装着し、眼を覆う作用を得ていた。【０００３】
【特許文献１】  実公平７−４６４６１号公報
【発明の開示】
【発明が解決しようとする課題】
【０００４】  従来のアイマスクは、以上のように構成されていたため、次のような課題が存在していた。
すなわち、アイマスクの小孔は、すでにテレビ等で周知のように、近視の人は遠くが明瞭となるが、近くを見るときは邪魔となることがあり、その時は、アイマスクをはずさなくてはならなかった。
例えば、魚釣りをする場合、アイマスクをつけて見ると、浮きがはっきりと見えるが、えさをつけ換える時のように、近くを見る時はアイマスクをはずさなければ針が見えにくくなっていた。
【課題を解決するための手段】
【０００５】  本発明によるアイマスクは、連結部によって接続され貫通状の開口を有する第１、第２眼マスク部と、前記第１、第２眼マスク部に各々接続されたつる部とよりなるアイマスクにおいて、前記第１、第２眼マスク部の各前面に設けられ前記開口を開閉自在とするための覆い部を有し、前記各覆い部には複数の小孔が形成されている構成であり、また、前記各覆い部は、前記各眼マスク部に回転自在に軸支されている構成であり、また、前記各覆い部は、前記各眼マスク部に摺動自在に設けられている構成であり、また、前記各覆い部は、各々独立、又は、連結棒を介して同時に作動するようにした構成であり、また、前記各つる部の後部には複数の溝が形成され、前記溝に設けられたＯリングには突起体が形成され、前記Ｏリングは前記各溝に対して移動できるようにした構成であり、また、前記各つる部に設けられた前記各突起体間は、ひもで接続されている構成である。
【発明の効果】
【０００６】  本発明によるアイマスクは、以上のように構成されているため、次のような効果を得ることができる。
すなわち、アイマスクの各眼マスク部に、小孔を有する覆い部を着脱自在としているため、近くを見る時と、遠くを見る時とで、使い分けることができ、アイマスクの利便性を大幅に向上させることができる。
また、つる部に設けたＯリングと突起体の任意の溝に位置させることにより、耳からつる部がずり落ちることを防止することができる。
【発明を実施するための最良の形態】
【０００７】  本発明は、眼マスク部に複数の小孔を有する覆い部を着脱自在とすることにより、近くと遠くを見る時の利便性を向上させることを目的とする。
【実施の形態】
【０００８】  以下、図面と共に本発明によるアイマスクの好適な実施の形態について説明する。
図１及び図２において符号１で示されるものは連結部２で接続された一対の第１、第２眼マスク部３、４からなるアイマスク本体であり、このアイマスク本体１の両側には一対のつる部５、６が軸支部７を介して回転式に折りたたみ自在に設けられている。
【０００９】  前記各眼マスク部３、４には、貫通状の開口８が形成され、この各眼マスク部３、４の前面４ａには、軸支部１０を介して一対の覆い部１１、１２が回動式に開閉自在に設けられ、各覆い部１１、１２には複数の小孔１３が形成されている。
前記覆い部１１、１２で開口８を閉じると、小孔１３を介して見ることになり、覆い部１１、１２を開けると開口８を介して素通しで見ることができる。
【００１０】  尚、前述の構成に限らず、覆い部１１、１２、軸支部１０による回動式の他に、図示していないが、ガイド溝を介して横方向に摺動式とすることもできる。
また、各覆い部１１、１２に図４で示すように連結棒１５を介して同時に連動して開閉自在とすることができる。
【００１１】  前記各つる部５、６の後部には、複数の溝２０が所定間隔で設けられており、この溝２０にはＯリング２１が設けられ、このＯリング２１には一体状に突起体２２が設けられ、各突起部２２間には図４のようにひも２３が接続されている。尚、このＯリング２１は各溝２０に対して位置を変えることができるように移動できる。
【００１２】  従って、アイマスク本体１を顔面に装着し、例えば、釣り等をする時は、覆い部１１、１２を閉じると、小孔１３を介して浮き等を明確に見ることができ、エサを針に取りつける時のように近くを見る時は、覆い部１１、１２を開けることにより開口８を介して直接見ることができる。
【産業上の利用の可能性】
【００１３】  アイマスクとしてのみではなく、近眼の治療にも利用することができる。
【図面の簡単な説明】
【００１４】
【図１】  本発明によるアイマスクを示す斜視図である。
【図２】  図１の片側の覆い部を閉じた状態を示す縮小構成図である。
【図３】  図１のつる部を示す拡大断面図である。
【図４】  図１の他の形態を示す斜視図である。
【符号の説明】
【００１５】  １          アイマスク部
２          連結部
３、４      眼マスク部
５，６      つる部
８          開口
１１、１２  覆い部
１３        小孔
２０        溝
２１        Ｏリング
２２        突起体
２３        ひも
【図１】
2005288058.tif 000003
【図２】
2005288058.tif 000004
【図３】
2005288058.tif 000005
【図４】
2005288058.tif 000006